(57)【特許請求の範囲】
【請求項１】
支柱と、支柱の中間に一体に設けたフランジ体からなる第１の連結受具と、支柱の上部に一体に設けたフランジ体からなる第２の連結受具と、第１,第２の連結受具にそれぞれ基端を一体に連結した上部横材及び中間の横材と、上部横材と中間の横材の外端にそれぞれ上記第１,第２の連結受具に対応して一体に設けた連結具と、支柱の上部および下部と上記中間の横材の外端との間に架設したＶ字状の二等辺フレームとを一体に組付けた単一の枠体。
【請求項２】
支柱と、支柱の中間に一体に設けたフランジ体からなる第１の連結受具と、支柱の上部に一体に設けたフランジ体からなる第２の連結受具と、第１,第２の連結受具にそれぞれ基端を一体に連結した上部横材及び中間の横材と、上部横材と中間の横材の外端にそれぞれ上記第１,第２の連結受具に対応して一体に設けた連結具と、支柱の下部と上記中間の横材の外端との間に架設した斜材と、上部横材の外端と中間の横材の外端との間に架設した縦材とを一体に組付けた単一の枠体。
【請求項３】
請求項１乃至２のいずれか一つの単一の枠体を縦横に組付けて構成した枠組足場。
【請求項４】
請求項１乃至２のいずれか一つの単一の枠体を縦横に組付けて構成した支保工。
【請求項５】
請求項１乃至２のいずれか一つの単一の枠体を縦横に組付けて構成した支保梁。
【発明の詳細な説明】
【０００１】
【産業上の利用分野】
本発明は、枠組足場，支保工，支保梁等の構築物及びこれらを組立てる枠体に関する。
【０００２】
【従来の技術】
一般に建設工事，土木工事においては構築物の外側面に対向して作業者が歩行する枠組足場が設置される。
【０００３】
同じく建築工事，土木工事，橋梁工事等では床，橋桁等の重量物を工事中に支える支保工，支保梁が使用されている。
【０００４】
これらの枠組足場，支保工，支保梁は支柱を縦横に組付けた枠体を使用している。例えば、支保工の枠体としては専用枠としていわゆるパルサポートが使用され、このパルサポートは１本の支柱と、支柱の横方向に結合したＶ字状の横材と、横材の外端に設けた連結具とで構成させた正面三角形状のフレームからなるものである。
【０００５】
このパルサポートは支柱同志を縦方向に差し込んで上下方向に多段に組立てられ、更に横方向にも多数列設すると共に隣接する一方の支柱の上部に他方の支柱側連結具の孔を差し込んで横方向に順次結合させるものである。
【０００６】
他方枠組足場は、例えば日本国特開平６−４２１６１号公報に開示されているように、いわゆるビテイ足場と称する門型の建枠を前後方向に向けながら任意の間隔を置いて多数横方向に列設し、この建枠間に長手方向に沿って足場板を着脱自在に架設し、更に横方向に隣接する建枠間にはＸ字状にクロスするブレスを介在して建枠同志を結合したものが公知である。この場合、門型の建枠は二本平行に起立した縦方向の支柱と、支柱同志を一体に結合した横架材とで構成され、この縦枠は横架材が構築物の外面に対して直角となるいわゆる前後方向に向けてたてかけるものである。
【０００７】
【発明が解決しようとする課題】
上記のような支保工，枠組足場，支保梁用に使用される枠体はそれぞれ目的別に形成された専用の枠体である為に全ての構造物に共通化して使用できず汎用性が無いから不経済である。
【０００８】
更に従来の枠体は単品として使用できるものが少なく、他の構造の異なる部材と結合することにより構造体を成形している為に部品点数が多く、各単一部品同志を結合させる作業が面倒である。従って素人でも簡単に組付できる作業性が良く、経済性にすぐれた枠体の開発が望まれている。
【０００９】
他方、上記のようなパルサポートは単一の物品としてこれを縦横に組付けできるメリットがある反面、一方の支柱に他の支柱側連結具を一度差し込むと、ある一部分を工事中又は組付後取りはずしたり、交換するような場合には上下方向の支柱を一度抜き出さなければならず、その作業が著しく困難で面倒である。
【００１０】
上記の枠組足場は長年建築・土木工事に使用され馴れ親しまれた作業足場であり、機能上，作業性の上ですぐれたものであるが、次のような不具合の改善が望まれている。
【００１１】
第１に建築・土木工事現場の作業スペース等の関係から、建枠の巾は必ずしも一定でなく、工事現場に応じて支柱間の巾長の異なるいろいろな建枠をその都度選択して使用している。この為、各工事現場の作業スペースに適合できるように巾長の異なる建枠を用意する必要があり、その結果組付性の制約を受け、建枠の同一の巾ごとの管理が困難であり、面倒であると共に保管場所の制約を受け、又不経済である。
【００１２】
第２に横方向に列設した隣接する建枠間はＸ字状にクロスするブレスで結合されているため、このブレスは建枠の連結部材として使用されると共に手摺の機能も備えているが、ブレスの上方，下方には大きな空間が発生し、特にブレスより上方の一定の高さに手摺が存在せず、安全性が損なわれるものである。
【００１３】
そこで、本発明の目的は、汎用性があり、組付性にすぐれ、着脱が容易である枠体を提供すると共にこの枠体を利用するることによって組付性の制約を受けず、管理が容易で保管場所の制約を受けず、経済性にすぐれ、安全性にもすぐれた枠組足場，支保工，支保梁等の構造物を提供することである。
【００１４】
【課題を解決するための手段】
上記の目的を達成するため、請求項１の発明の手段は、 支柱と、支柱の中間に一体に設けたフランジ体からなる第１の連結受具と、支柱の上部に一体に設けたフランジ体からなる第２の連結受具と、第１,第２の連結受具にそれぞれ基端を一体に連結した上部横材及び中間の横材と、上部横材と中間の横材の外端にそれぞれ上記第１,第２の連結受具に対応して一体に設けた連結具と、支柱の上部および下部と上記中間の横材の外端との間に架設したＶ字状の二等辺フレームとを一体に組付けたことを特徴とするものである。
【００１５】
同じく、請求項２の発明の手段は、支柱と、支柱の中間に一体に設けたフランジ体からなる第１の連結受具と、支柱の上部に一体に設けたフランジ体からなる第２の連結受具と、第１,第２の連結受具にそれぞれ基端を一体に連結した上部横材及び中間の横材と、上部横材と中間の横材の外端にそれぞれ上記第１,第２の連結受具に対応して一体に設けた連結具と、支柱の下部と上記中間の横材の外端との間に架設した斜材と、上部横材の外端と中間の横材の外端との間に架設した縦材とを一体に組付けたことを特徴とするものである。
【００２２】
更に上記の目的を達成するため、本発明の枠組足場は上記いずれか一つの枠体を縦横に組付けて構成している。
【００２３】
同じく、支保工は上記いずれか一つの枠体を縦横に組付けて構成している。
【００２４】
同じく、支保梁は上記いずれか一つの枠体を縦横に組付けて構成したものである。
【００２８】
【発明の実施の形態】
以下課題を解決するための手段に対応する実施の形態に係わる単一の枠体と、この枠体を利用した枠組足場、支保工、支保梁と、必要に応じて補助的に使用する補助部材について説明する。
この場合、請求項１の発明に対応する実施の形態に係るの単一の枠体は、例えば、図６３、図６４に示すように、 支柱１と、支柱１の中間に一体に設けたフランジ体からなる第１の連結受具７と、支柱１の上部に一体に設けたフランジ体からなる第２の連結受具７と、第１,第２の連結受具７，７にそれぞれ基端を一体に連結した上部横材２a（又はＬ４）及び中間の横材Ｌ３と、上部横材２aと中間の横材ｌ３の外端にそれぞれ上記第１,第２の連結受具７，７に対応して設けた連結具１３、１３と、支柱１の上部および下部と上記中間の横材Ｌ３の外端との間に架設した斜材２ｂ、２ｂからなるＶ字状の二等辺フレームとを一体に組付けたものである。
同じく、請求項２の発明に対応する実施の形態に係る単一の枠体は、例えば、図７３、図７５に示すように、支柱１と、支柱１の中間に一体に設けたフランジ体からなる第１の連結受具７と、支柱１の上部に一体に設けたフランジ体からなる第２の連結受具７と、第１,第２の連結受具７，７にそれぞれ基端を一体に連結した水平な上部横材２ｃ及び中間の横材２ｃと、上部横材２ｃと中間の横材２ｃの外端にそれぞれ上記第１,第２の連結受具７，７に対応して一体に設けた連結具１３，１３と、支柱１の下部と上記中間の横材２ｃの外端との間に架設した斜材２ｃと、上部横材２ｃの外端と中間の横材２ｃの外端との間に架設した縦材Ｈ４（又はＨ５）とを一体に組付けたものである。
【００２９】
本発明に係る枠体は基本的には四つのグループに分けられる。
【００３０】
第１ののグループは図１乃至図４７及び図４８乃至図５２に示され、第２のグループは図５３乃至図５６に示され、第３のグループは図５７乃至図６７に示され、第４のグループは図６８乃至図８３に示される。
【００３１】
第１のグループに属する枠体の基本は例えば図４８に示すように、支柱１と、支柱１の中間又はほぼ中間に設けた第１の連結受具たるフランジ７と、支柱１の上部，下部又はその両方のいずれかの任意の位置に設けた第２の連結受具たるフランジ７と、支柱１の側部に設けた横材たる水平支柱２ａと、水平支柱２ａの外端に第１又は第２の連結受具たるフランジ７に対応して設けた連結具たるブラケット１３とで構成されたフレーム３からなっている。
【００３２】
第２のグループに属する枠体の基本は例えば図５４に示すように、支柱１と、支柱１に設けた第１，第２の連結受具たるフランジ７，７と、支柱１の側部に設けた横材たるコ字状フレーム２Ａと、コ字状フレーム２Ａの外端にいずれかのフランジ７に対応して設けた連結具たるブラケット１３とで構成された四辺形状フレーム３Ａからなっている。
【００３３】
第３のグループに属する枠体の基本は例えば図５７に示すように支柱１と、支柱１に設けた第１．第２の連結受具たるフランジ７，７と、支柱１の側部に設けた横材たるＶ字状の二等辺フレーム２Ｂと、このフレーム２Ｂの外端にいずれかのフランジ７に対応して設けた連結具たるブラケット１３とで構成された二等辺三角形状のフレーム３Ｂからなっている。
【００３４】
更に第４のグループに属する枠体の基本は、図６８に示すように、支柱１と、支柱１に設けた第１，第２の連結具たるフランジ７，７と、支柱１の側部に設けた横材たる水平支柱及び斜材とからなるＶ字状フレーム２Ｃと、Ｖ字状フレーム２Ｃの外端にいずれかのフランジ７に対応して設けた連結具たるブラケット１３とで構成された直角三角形状のフレーム３Ｃからなっている。
【００３５】
次に第１グループの枠体たる枠組フレーム３を利用して組立てた枠組足場Ａを図１乃至図４７にもとづいて説明する。この場合、一本の支柱１に横材たる水平支柱２ａを設けて第１組の枠組フレーム３を構成し、同じく二本の支柱１，１を連結支柱たる手摺２で結合し、一方の支柱１に横材たる横架材４を設けて第２組の枠組フレーム３を構成し、これら二つの第１，第２組の枠組フレー３，３を横方向に１つおきに組付けている。これら第１，第２の枠体たる枠組フレーム３，３は支柱１と、支柱１に設けた二つ以上のフランジ７，７と、支柱１の側部に設けた上下二本の水平支柱２ａ又は４を設けたことで共通し、いずれも第１のグループの枠体に属するものである。
【００３６】
以下詳細に説明する。
【００３７】
枠組足場Ａは、図１乃至図３に示すように平行に起立する二本の支柱１，１と各支柱１，１間に横方向に向けて設けた水平支柱たる手摺２とからなる枠組フレーム３が横方向に前後二列複数起立して配設され、対向する前後の支柱１，１同志が一方の支柱１に設けた横材たる横架材４で着脱自在に結合され、横方向に隣接する支柱１，１同志が図１において右側の支柱１に着脱自在に設けた横材たる二本の水平支柱からなる手摺２ａで結合されている。更に前後の枠組フレーム３，３間に長手方向に沿って一つ又は複数の足場板５が直列に配設され、当該各足場板５の両端部が引掛部６を介してこの端部に対応する横架材４に着脱自在に引掛けられている。各支柱１の外周には、上部と中間と下部とに多孔の連結受具たるフランジ７が設けられている。
【００３８】
手摺２は上部及び下部のフランジ７，７間に着脱自在に結合した上部支柱と支柱１，１間に架設された下部支柱との二本で構成されているが、上部支柱又は下部支柱のみであってもよい。
【００３９】
同じく前後の支柱１，１間に架設された横架材４はそれぞれその両端部が上中下のフランジ７，７間に着脱自在に結合されており、この横架材４は一本でもよく、図示のように上下二本組合せたものであってもよい。
【００４０】
上記手摺２ａや横架材４はフランジ７を介して結合しているが他の連結受具として例えばピン等で結合してもよい。
【００４１】
足場板は長手方向に直列に配設されていると共に複数の板を前後方向に並べている。但し、足場板５は前後方向に巾の広いものを使用した場合は一枚の板材で成形してもよい。
【００４２】
各足場板５の両端部には断面Ｃ形状又はＬ字状の引掛部６が形成され、この引掛部６を介して中間又は下部の横架材４に足場板が着脱自在に結合される。隣接左右方向の足場板５，５において左側の足場板５の右側引掛部６と右側足場板５の左側引掛部６とは互い違いに形成されている。
【００４３】
横方向に列設した左右に隣接する枠組フレーム３，３同志は上部のフランジ７，７間に着脱自在に架設された手摺２ａで結合されている。この手摺２ａは上下二本の水平な支柱とこの二本の支柱の端部を結合した左右の縦方向支持桿と両端に設けた連結具たるブラケット１２とで構成されている。但し、一本の水平な支柱のみで構成していてもよい。更に足場板５の前後両側には長手方向に沿って一つ又は複数の巾木８が直列に起立し、各巾木８の端部は上記フランジ７の孔にピンを介して着脱自在に結合されている。
【００４４】
尚、枠組足場Ａの左端と右端には前後方向に向けて巾木９が起立して上記と同じように結合されている。
【００４５】
上記の枠組足場Ａを建築物等の構築物Ｂに対向して配置するには次のように行なう。枠組フレーム３を図３に示すように前後二列横方向に沿って多数起立し、横方向に隣接する枠組フレーム３間は一方の支柱１に着脱自在に設けた手摺２ａを介して結合し、前後方向の相対向するる枠組フレーム３，３同志は一方の支柱１に設けた横架材４で結合される。これより長方体状の足場枠が形成され、中間に足場板５を架設して完成させる。支柱２ａ、横架材４は独立していてそれぞれフランジ７に着脱自在に組付けてもよい。
【００４６】
前後の枠組フレーム３，３は対称位置に並べてもよく、又は一つづつずらして配列してもよい。前後の枠組フレーム３，３が一つづつずれた場合には、前側の枠組フレーム３に対して後側には手摺２ａが対向することになる。この場合、前後の枠組フレーム３，３に於て、前後の枠組フレーム３における右側支柱１と後側枠組フレーム３における左側支柱１との間に横架材が架設される。
【００４７】
支柱１は直接地上に起立してもよいが、図５に示すように、地上にジャッキＪを介してサポート支柱１０を起立し、各サポート支柱１０の上端に枠組フレーム３を構成する各支柱１を着脱自在に挿入してもよい。
【００４８】
サポート支柱１０は一本づつ多数並べてもよく、横方向の支持桿１１で結合された二本一組からなるものを起立してもよい。更に枠組フレーム３には上下方向に沿って複数多段に組付けてもよい。この場合、上方の支柱１は下方の支柱１の上端の孔に小径のインロー部１ａを介して差し込んで結合される。
【００４９】
図４は本発明の他の実施の形態に係る  枠組足場の略示図である。この枠組足場Ａは一本の支柱１とこの支柱１に横方向に向けて設けた横材たる手摺２とからなる枠組フレーム３ａが横方向に前後二列複数起立して配設され、対向する前後の支柱１，１同志が図１に示すものと同じ横架材４で着脱に結合され、又横方向に隣接する支柱１，１同志が一方の支柱１に設けた手摺２を介して結合されている。更に前後の枠組フレーム３，３間に長手方向に沿って一つ又は複数の足場板５が直列に配設され、当該各足場板５の両端部がこの端部に対応する横架材４に着脱自在に引掛けられているものである。
【００５０】
枠組足場Ａの最左側端部には一本の支柱を起立するか、又は図示のように図１の枠組フレーム３と同じものを起立している。
【００５１】
一本の支柱１とこの支柱１の上部に設けた手摺２からなる枠組フレーム３ａを横方向に結合する場合、手摺２の端部を横方向に隣接する枠組フレーム３ａの支柱に着脱自在に結合して行なう。手摺２は水平な一本又は二本平行な水平支柱からなり、支柱１に対して手摺２の一端はフランジ７を介して又は溶接，ピン等を介して結合してある。この手摺２の他端には連結具たるブラケット１３が形成され、このブラケット１３を隣接する他の支柱１側のフランジ７に結合させるものである。
【００５２】
他の構造，組立方法は図１、図５の場合と同じである。図６、図７は本発明の他の実施の形態に係る枠組フレームを示す。
【００５３】
これは図４に示すものと実質的に同じであるが、これは端部に連結具たるブラケット１４ａを備えた横材たる横架材４ａを支柱１に回転自在に結合したものである。
【００５４】
枠組フレーム３ｂは図４と同じく一本の支柱１と、支柱１の上部に一体に設けた二本平行な支柱からなる手摺２と、手摺２の一端に設けたブラケット１３とで構成されている。前後の枠組フレーム３ｂ，３ｂは互いに反対方向を向いているが、同一方向を向いていてもよい。
【００５５】
枠組フレーム３ｂ，３ｂの隣りにはフランジ７を備えた一本の支柱１ａ，１ａが起立し、この支柱１ａ，１ａにそれぞれ前後の手摺２，２のフランジ１３，１３が着脱自在に結合される。
【００５６】
各支柱１，１のほぼ中間にはソケット１４，１４を介して横架材４ａ，４ａの基端が回転自在に結合されており、前後に枠組フレーム３ｂ，３ｂを対向して配置した時、一方の横架材４ａを対向する他の支柱１に中間のフランジ７とブラケット１４ａを介して結合させるものである。横架材４ａ上には足場板５が図１と同じように着脱自在に架設される。
【００５７】
図８乃至図１１は本発明の他の実施の形態に係り、これは図１に示す枠組フレーム３に連結具たるブラケット１５を備えた横材たる横架材４ｂを回転自在に設けたものである。即ち、支柱１のほぼ中間に直接又はソケットあるいはフランジ７を介して横架材４ｂが回転自在に結合されており、前後に一対の枠組フレーム３を配列した時、一方の横架材４ｂが他の支柱１にフランジ７を介して着脱自在に結合するものである。他の構造，組付方法は図１の場合と同じである。前後に一対の枠組フレーム３，３が横架材４ｂを介して結合した時は図１１に示すように横架材４ｂの基端を中心にして平面平行四辺形状に組付けられた枠組足場Ａの全体足場枠はコンパクトに回転して折り畳みが可能となる。
【００５８】
図１２、図１３は本発明の他の実施の形態に係り、これは図６、図７に係る横架材４ａの具体的な実施の形態を示すものである。
【００５９】
即ち、支柱１に対してパイプ状のソケット１４が回転自在に挿入され、ソケット１４の胴部に一体結合された横材たる横架材４ａがパイプ支柱で構成され、パイプ支柱の端部に連結具たる二又状のシューからなるブラケット１４ａが一体に設けられたものである。更にソケット１４には水平方向のガイト溝１６と縦方向のガイド溝１７を備え、このガイド溝１６，１７内には支柱１から突出するストッパピン１８が嵌合し、水平方向のガイド溝１６を介して横架材４ａが水平方向に回転し、ストッパピン１８が縦方向のガイド溝１７が嵌合した時、横架材４ａが前後方向に向いてその位置が保持されるようになっている。その他の構造は図６と同じである。
【００６０】
図１４乃至図２１は一本の支柱１とこの支柱１に設けた連結受具たるフランジ７と、同じく支柱１に設けた手摺２と、手摺２の外端に設けた連結具たるブラケット１３とからなる枠体たる枠組フレーム３の各実施の形態を示し、これらの枠組フレーム３は図４、図６で示した枠組足場Ａに使用されるものである。
【００６１】
図１４の枠組フレーム３は一本の支柱１と、この支柱１の上部に設けたフランジ７に基端を結合した一本の手摺２と、手摺２の外端に設けた二又状のシューからなるブラケット１３とで構成されたものである。
【００６２】
図１５の枠組フレーム３は図１４の支柱１に上下二本の手摺２，２を平行に設けたものであり、各手摺２，２の外端にそれぞれブラケット１３，１３を設けている。
【００６３】
同じく、図１６の枠組フレーム３は二本の手摺２，２とこの手摺２，２の下部に巾木８を設けたものである。巾木８の基端はフランジ７の孔にピンを介して挿入され、同じく他端にも差し込みピン８ａを設け、このピン８ａを他の対向する支柱１側のフランジ７の孔に差し込むものである。
【００６４】
図１７の枠組フレーム３は図１４に示す支柱１と手摺２間に斜め方向の手摺を兼ねた補強用ブレス１９を架設したものである。
【００６５】
同じく、図１８の枠組フレーム３は図１５に示す支柱と手摺２に逆Ｖ字状に手摺を兼ねた補強用ブレス２０を設け、ブレス２０の端部をブラケット２１を介して他の対向する支柱１に結合するものである。
【００６６】
同じく、図１９に示す枠組フレーム３は図１７に示す手摺２にＶ字状又は波形状の手摺を兼ねたブレス２２，２２を設けたものである。
【００６７】
更に、図２０はブラケット１３，１３を備えた手摺２とブラケット８ａ，８ａを備えた巾木８と、ブレス２３とを一体に組付けたフレームを支柱１の上下のフランジ７に着脱自在に結合した枠組フレーム３を示す。
【００６８】
同じく、図２１はブラケット１３，１３を備えた手摺２と、ブラケット２５，２５を備えた逆Ｖ字状のブレス２４とを組付けて、ブラケット１３，２５を介して支柱１のフランジ７，７に着脱自在に結合した枠組フレーム３を示す。
【００６９】
図２２はすでに図１で説明した巾木８の具体的な実施の形態を示す。これは任意の巾の板状巾木８の両端にピン８ａ，８ａを一体に設け、このピン８ａ，８ｂを図１に示すように、前後又は左右に対向する支柱１，１間のフランジ７の孔に差し込んで固定するものである。
【００７０】
図２３乃至図３４は支柱自体の他の実施の形態に係り、これは図１に示す枠組足場Ａの枠組フレーム３に使用され、一対の支柱１，１と、各支柱１，１間に架設された手摺２で基本構造が構成されている。本発明ではこれらの各支柱１に横架材が設けられるようになっている。
【００７１】
図２３の枠組フレームは二本の支柱１，１間にフランジ７，７を介して一本の水平な手摺２を架設したものであり、図２４の枠組フレーム３は手摺２を上下二本平行に設けたものである。図２５は図２４の手摺２の下方に巾木８をフランジ７を介して結合したものである。
【００７２】
更に、図２６、図２７、図２８はそれぞれ上記図２３、図２４、図２５の手摺２にそれぞれ手摺を兼ねたブレス２６，２７，２８を設けたものである。
【００７３】
同じく、図２９、図３０、図３１も手摺２の外にそれぞれ手摺を兼ねた補強用の枠体２９，３０，３１，３２をそれぞれ設けたものである。
【００７４】
同じく、図３２、図３３、図３４の枠組フレーム３もそれぞれ手摺２に加えて逆Ｖ字状又は波形に組合せた手摺を兼ねたブレス３３，３４，３５を支柱１間に架設したものである。
【００７５】
図３５乃至図４０は図１に示す枠組足場Ａに使用される横架材４の各実施の形態を示すものである。
【００７６】
図３５の横架材４は一本の水平なパイプ支柱の両端に二又状のシューからなるブラケット３６，３６を一体に設け、ブラケット３６，３６を前後に対向する支柱１，１のフランジ７に差し込んで着脱自在に結合するものである。
【００７７】
図３６は横架材４をアウターチューブとこのアウターチューブ内に伸縮自在に挿入したインナーチューブとで構成し、各チューブの端部にブラケット３６を設け、前後の支柱１，１間の巾長を任意に調整できるようにしたものである。
【００７８】
同じく、図３７、図３８も図３６と同じく伸縮自在なチューブから構成され、それぞれ楔３７又はピン３８とで位置決めするようにしたものである。
【００７９】
図３９は一本の支柱の下部にブレス４０を介して平行に下側の支柱３９を結合して上下二本の支柱で横架材４を構成し、又支柱３９にコ字状のブラケット４３を設けたものである。
【００８０】
同じく、図４０の横架材４は支柱の下部に斜材４２，４２を設けたものであり、この斜材４２，４２の端部に支柱１に結合するコ字状のブラケット４３を設けたものである。
【００８１】
図４１は本発明の他の実施の形態に係り、これは足場板の取付方法を変更したものである。
【００８２】
即ち、平行に起立する二本の支柱１，１と各支柱１，１間に横方向に向けて設けた手摺２とからなる枠組フレーム３が横方向に前後二列複数起立して配設され、横方向に隣接する支柱１，１同志が支柱１，１に設けた手摺２又は他の手摺２ａで結合され、更に前後の枠組フレーム３，３間に長手方向に沿って一つ又は複数の足場板５ａが直列に配設されている。枠組足場に於て、当該各足場板５ａの四隅をそれぞれ各隅部に対応する支柱１，１に着脱自在に結合させたものである。
【００８３】
この場合、支柱１のほぼ中間に複数の孔５０を円周方向に沿って形成したフランジ７を設け、足場板５ａの四隅に下方に向けて係止ピン５１を設け、この係止ピン５１をフランジ７の孔５０に差し込んで足場板５ａを固定する。
【００８４】
この場合には横架材４を設けなくても前後に起立する支柱１，１同志が結合される。但し、横架材４は補強と手摺を兼ねるために前後の支柱１，１間に架設するのが好ましい。
【００８５】
図４１に示す足場板５ａの取付方法は図１の足場板５に置き換えて結合するものであるが、図４に示す枠組足場にも適用可能である。
【００８６】
図４２は本発明の他の実施の形態を示し、これは図４１に示すフランジ７を利用して巾木８を取付けるものである。即ち、巾木８の両端部に係止ピン５２を下方に向けて設け、この係止ピン５２をフランジ７の孔５０に差し込み、足場板５ａの前後に足場板５ａに沿う巾木８を起立するものである。
【００８７】
巾木８に設けた係止ピン５２は図４３の他の実施の形態に示すように若干下方を傾斜したものを使用してもよい。
【００８８】
図４４乃至図４７は本発明の他の実施の形態を示し、これは支柱１を縦方向に連設するそれぞれの形態に係るものである。図４４は下方の支柱１の上端ソケット部１ｄに上方の支柱１の下端インロー部１ａを差し込んでいる。
【００８９】
支柱１には孔５０を備えたフランジ７が取付けけられており、このフランジ７を介して水平方向に手摺２が差し込んで結合されている。この手摺２の先端下部に水平方向に向けてブラケット５３を介してピン５４が移動自在に取付けられている。他方支柱１とインロー部１ａには係止孔５５，５６がそれぞれ形成され、ソケット部１ｄ内にインロー部１ａを差し込み、係止孔５５，５６にピン５４を横方向から差し込んだ時上方の支柱１が抜けなくなる。
【００９０】
図４５は下方の支柱１のソケット部１ｄに差し込んだ上方の支柱１のインロー部１ａとを普通のピン５７で止着したものである。
【００９１】
図４６は下方の支柱１のソケット部１ｄを拡径し、上方の支柱１をインロー部をを使用することなく直接このソケット部１ｄに差し込み、ピン５７で止着するものである。
【００９２】
図４７は本発明の他の実施の形態に係り、これは支柱１に対する手摺２又は２ａの取付方法の具体例を示す。
【００９３】
即ち、支柱１には孔５０を備えたフランジ７が結合され、他方手摺２又は２ａには先端に挾持片５９，６０とピン６１を備えたシュー５８が結合され、フランジ７に挾持片５９，６０を差し込み、孔５０にハンマー６２等でたたいてピン６１を強制的に嵌合し、支柱１にフランジ７とシュー５８を介して手摺２又は２ａを結合するものである。
【００９４】
次に本発明の枠体の実施の形態を説明する。各実施の形態において共通の部材は同一の符号を付してある。
【００９５】
図４８乃至図５２に示す枠体は第１グループに属し、これの共通点は１本の支柱１と、支柱１の中間に設けた第１の連結受具たるフランジ７，７と、支柱１の側部に設けた横材たる水平支柱２ａと、水平支柱２ａの外端にシューと楔とからなるブラケット１３を連結具として設けたものである。更に支柱１はパイプ材からなり、図９９に示すように、上端に小径のインロー部１ａを形成し、このインロー部１ａを上方の支柱１の下部に着脱自在に差し込んでピンで止めることができるようになっている。図４８の枠体は中間のフランジ７に水平支柱２ａの基が結合されたものである。図４９の枠体は水平支柱２ａ，２ａを上下二本フランジ７，７に結合させたものである。
【００９６】
フランジ７は図９０（Ａ）（Ｂ）に示すように、中央の円盤７ａと、この円盤７ａの外周に設けた環状のフック７ｂとから構成され、あるいは、図９１（Ａ）（Ｂ）に示すように円盤７ａと、この円盤７ａに円周方向に沿って穿設した８つの係止孔７ｃとで構成されたものが使用される。
【００９７】
上記のフランジ７は後述する各実施の形態の枠体にも使用され、図９４，図９５に示すように、フランジ７の円周方向に沿って任意の位置にシューとフランジ、その他のブラケットを介して横材たる水平支柱２ａやその他の部材を一つ又は複数取付けることができる。
【００９８】
更にフランジ７としては図９２（Ａ）（Ｂ）、図９３（Ａ）（Ｂ）に示すもを使用してもよい。図９２（Ａ）（Ｂ）のフランジ７は本体７ａと本体７ａに９０度づらした四方向に設けた耳片７ｅと、各耳片７ｅに形成した係止孔７ｇとで形成されたものである。同じく図９３（Ａ）（Ｂ）に示すフランジ７は支柱１の外周に９０度づらした四方向に設けた断面コ字状のソケット７ｆからなり、ソケット７ｆは溶接Ｗで結合されている。
【００９９】
図５０、図５１に示す枠体はそれぞれ上部又は中間のフランジ７に直角方向に二本の水平支柱２ａ，２ａを取付けたものである。
【０１００】
図５２の枠体は中間のフランジ７に水平支柱２ａを取付、上部のフランジ７に水平支柱２ａとＬ状の補強フレーム２ｃとからなるよこざいを取付けたものである。
【０１０１】
横材の外端に設けた連結具は二又のシューと楔とからなるブラケット１３を使用しているが、必ずしもこれに限定されるものではなく、例えば図５３に示すようなクランプＫを使用してもよい、クランプＫはヒンジ結合された二つの挾持片Ｋ１，Ｋ２と、挾持片Ｋ１，Ｋ２を締結するボルトＢＴからなっており、このクランプＫは支柱１側の第１，第２の連結受具に取付けられる。但し直接支柱１を抱持することも可能である。このクランプＫは他の実施の形態に係る横材の外端に全て取付可能である。
【０１０２】
図５４乃至図５６は枠体の他の実施の形態を示し、第２グループに属するものである。これらの枠体の基本形態は図５４に示すように、１本の支柱１と、支柱１の中間、上部に設けたフランジ７，７と、上部フランジ７に上部基端を結合した正面コ字状のフレーム２Ａと、フレーム２Ａの外端上部に設けたブラケット１３とで四辺形状フレーム３Ａを構成している。
【０１０３】
図５５（Ａ）の枠体は中間のフランジ７とフレーム２Ａの中間とのふいだに水平な補強支柱２Ａ１を架設し、更にフレーム２Ａの下部を下部フランジに結合した結合したものである。
【０１０４】
図５５（Ｂ）の枠体は更にこの補強支柱２Ａ１の外端に対応して連結具たるブラケット１３を設けたものである。
【０１０５】
更に図５６の枠体はフレーム２Ａと補強フレーム２Ａ１の全部を各フランジ７に結合すると共に各フランジ７に対応する外端にそれぞれブラケット１３を設けたものである。
【０１０６】
図５７乃至図６７の実施の形態に係る枠体は第３のグループに属するものであり、各実施の形態に共通の基本形態は図５７に示すように、支柱１と、支柱１の中間、上部に設けたフランジ７と、支柱１の側部に結合したＶ字状フレーム２Ｂと、フレーム３Ｂの外端に設けたブラケット１３とで正面三角形状のフレーム３Ｂを構成していることである。図５７の枠体ではフレーム２Ｂの基端が支柱１の上下に溶接等で結合させている。
【０１０７】
図５７の枠体はフレーム２Ｂが長さ調整機構２Ｂ１を介して長さ調整され、その基端がブラケットＯを介して支柱１にヒンジ結合され、外端中央が同じくヒンジ部Ｐを介してヒンジ結合されたものである。
【０１０８】
図５９は図５７の基本形態に対して更に上部フランジ７に水平支柱２ａを結合したみのである。
【０１０９】
同じく図６０は図５７の基本形態に対して、上部フランジ７に水平支柱２ａを結合すると共に、この水平支柱２ａと平行に補強用の水平Ｌ１を設けてフレーム２Ｂにクロスさせているものである。
【０１１０】
同じく図６１は図６０の枠体を変形して、補強用水平フレームＬ２の基端と先端をそれぞれ支柱１と水平支柱２ａに結合し、中間をフレーム２Ｂにクロスして結合させたものである。
【０１１１】
図６２はフレーム２Ｂの中央に補強フレームＬ３を設け、中間のフランジ７とフレーム２Ｂの外端中央との間に結合したものである。
【０１１２】
同様に図６３は図６２の枠体に対して上部フランジ７にフレームＬ３と平行に水平支柱２ａを追加したものであり、図６４はフレーム２Ｂに対して水平フレームＬ３とコ字状のフレームＬ４を結合し、フレーム４の外端に各フランジ７に対応するブラケット１３を設けたものである。
【０１１３】
図６５は支柱１に対して９０度ずれた位置に三つのＶ字状フレーム２Ｂを設けた例を示す。
【０１１４】
同じく図６６は支柱１に対してフレーム２Ｂを設けると共にこのフレーム２Ｂを反対側に水平フレームと斜材とからなる他の横材たるフレームＬ４を設けたものである。同じく図６７は上記と同じフレームＬ４をフレーム２Ｂに対して９０度ずれた位置に設けたものである。
【０１１５】
次に図６８乃至図８３は第４のグループに属する本発明の枠体の他の実施の形態を示し、これらは支柱１と、支柱１の側部に設けた直角三角形を形成する横材たるＶ字状フレーム２Ｃと、フレーム２Ｃの外端に設けた連結具たるブラケット１３とからなる点を共通としている。
【０１１６】
図６８はフレーム２Ｃの基端を上部フランジ７と支柱１の下部に結合したものである。
【０１１７】
図６８はフレーム２Ｃと中間のフランジ７との間に水平な支柱からなる補強フレームＨ１を架設したものである。
【０１１８】
図７０，７１，７２はフレーム２Ｃに対して反対側と９０度ずれた位置に水平支柱と斜材からなる二つの三角フレームＨ２，Ｈ３を設け、各三角フレームＨ２，Ｈ３の上部基端を中間のフランジ７に結合したものである。
【０１１９】
図７３はフレーム２Ｃの上部とこのフレーム２Ｃと上部フランジ７との間に三角フレームＨ４を設けたものである。
【０１２０】
同じく図７４はフレーム２Ｃとクロスしてフレーム２Ｃと同じ形状の三角フレームＨ４を設けたものである。
【０１２１】
図７５はフレーム２Ｃの上部に対して二本の水平支柱と１本の縦支柱とからなる長方形状のフレームＨ５を設けたものである。
【０１２２】
同じく図７６はフレーム２Ｃとクロスして平行に二本の水平支柱からなるフレームＨ６を設けたものである。
【０１２３】
同じく図７６はフレーム２Ｃに対してこれとクロスするＵ字状フレームＨ７を結合したものである。
【０１２４】
図７８は一本の水平支柱からなるフレームＨ８をフレーム２Ｃに対してクロスして結合したものである。
【０１２５】
更に図７９は図７８のフレームＨ８に追加してこれと平行に補強フレームＨ９を架設したものである。
【０１２６】
図８０はフレーム２Ｃの下部にＬ状の補強フレームＨ１０を結合したものである。
【０１２７】
図８１はフレーム２Ｃの下部に直角フレームＨ１１を結合したものである。
【０１２８】
図８２は図７４の枠体を変更して、フレーム２Ｃに対してフレームＨ４を上下二つ設けたものである。
【０１２９】
図８３はフレーム２Ｃの基端を上部フランジ７と中間のフランジ７にそれぞれ結合し、フレーム２Ｃの中間に水平支柱からなるＨ１２を架設したものである。
【０１３０】
図８４，図８５は支柱１を二本平行に起立し、各支柱１，１は上部フランジ７と中間のフランジ７間に結合した連結部材１２０で結合させ、各支柱１，１にフレーム２Ｃ，２Ｃをそれぞれ反対方向に向けて連結したものである。
【０１３１】
連結部材１２０は図８５，図９７に示すように互いに背面を結合した二つの二又状シューｚ１２１と、シュー１２１に着脱自在に差し込んだ楔１２２とからなり、各シュー１２１の上下挾持片１２３を多孔フランジ７に差し込み、シュー１２２とフランジ７に設けた孔に楔１２２を打ち込むようになっている。
【０１３２】
上記シュー１２１と挾持片１２３と楔１２２とからなる連結部材はすでに述べた各枠体の連結具たるブラケット１３と実質的に同じ構造を有するものである。次に、図８６乃至図８９は第５のグループに属する他の実施の形態の枠体を示す。
【０１３３】
図８６の枠体は支柱１と、支柱１の上部、中間に設けたフランジ７と、支柱１の両側に設けた横材たるＶ字状フレーム２Ｄ，２Ｄと、一方のＶ字状フレーム２Ｄの外端に設けた中間のフランジに対応する連結具たるブラケット１３と、他方のＶ字状フレーム２Ｄの外端に設けられて上記ブラケット１３に対応する第３の連結受具たる水平板からなるブラケット１３Ａとで構成されている。
【０１３４】
Ｖ字状フレーム２Ｄの中央には中間のフランジ７に結合した補強用の水平支柱Ｍが設けられている。
【０１３５】
図８７はは本発明の他の実施に係る枠体を示し、これは図８６のＶ字状フレーム２Ｄに代えて半円状のフレーム２Ｅを使用したものである。
【０１３６】
同じく図８８の枠体は二本の支柱１，１を中間の二本の水平材Ｑで結合し、一方の支柱１にコ字状の横材たるコ字状フレーム２Ｆを設け、他方の支柱１にこのフレーム２Ｆと対応する同一形状の他のフレーム２Ｆを設け、一方のフレーム２Ｆの外端にブラケット１３を設け、他方のフレーム２Ｆの外端にブラケット１３に対応する水平板からなるブラケット１２Ａを設けたものである。
【０１３７】
同じく図８９の枠体は図８８の枠体を変形したもので、横材を略々Ｖ字状のフレーム２Ｇとして各支柱１，１に取付けたものである。支柱１，１同志は上下二本の水平材Ｒで結合されている。
【０１３８】
図９６はフランジ７の他の実施の形態を示す。
【０１３９】
即ち、第１，第２の連結受具たるフランジ７が支柱１に回転自在に挿入され、このフランジ７は支柱１の外周に固定して設けた上下二つの支持環１２３，１２３間に教示されながら回転できるようになっている。この為フランジ７に連結した横材もフランジ７に伴なって任意の方向に回転できるものである。
【０１４０】
図９８は横材たる水平支柱や補強フレームの他の実施の形態を示す。これは二本以上の水平又は斜め支柱２Ｈと、各支柱２Ｈの基端にヒンジ結合された図９７に示すものと同じブラケット１３と、同じく他端にそれぞれ設けたブラケット１３とで構成され、各支柱２Ｈが水平にも斜め方向にも架設できるようにしている。
【０１４１】
同じく図１００は補助材を示し、これは一本の支柱１と、支柱１の上部、中間に設けたフランジ７ｓｔｏ構成されている。もちろんこの支柱１にすでに述べたように横材を結合してもよい
図１０１，１０２は補助材の他の実施の形態を示し、図１０１は三つの支柱を横方向に固定して設けたものであり、図１０２は二本の支柱をＶ字状に組付けたものである。いずれも端部にすでに述べたものと同じブラケット１３を設けている。
【０１４２】
図１０３はすでに述べた枠体、例えば図４８に示す枠体たる支柱１と横材たる水平支柱２ａを連続して組付けた平面五角形の構造物を示し、同じく図１０４は六角形の構造物を示す。
【０１４３】
次に上記で述べた枠体の組付構造の実施の形態を説明する。
【０１４４】
図１０５は図５７に示す枠体３Ｂを支保梁として組付けた状態を示す。
【０１４５】
即ち、水平方向と縦方向たる縦横に多数の枠体３Ｂを列設し、隣接する横方向の枠体３Ｂ同志は支柱１を介して結合し、上下の枠体３Ｂ同志は上方のブラケット１３を下方のフランジ７に結合して結合するものである。最下段の支柱１は上方の支柱１に対して９０度向きを変えて配設され、あるいは図１００に示す一本の補助支柱１を使用してもよい。
【０１４６】
図１０６（Ａ）（Ｂ）は図１０５と同じく、図５７に示す枠体３Ｂを縦方向に沿って重ねて結合した骨組構造体を示す。これは縦方向の支保梁もしくは支保工用の連続した枠体として使用できる。
【０１４７】
図１０７（Ａ）（Ｂ）は図５７に示す枠体３Ｂを上下方向，横方向，前後方向に組付けて立方体状に構成した構造物、例えば支保工を示す。この場合、支柱１に対して一つの横材たるＶ字状フレーム２Ｂを設けたものを縦横に組付けても良く、もしくは一本の支柱１に対して直角方向に二つ，三つ又は四つのフレーム２Ｂを設けたものを選択的に使用して組付けてもよい。特に図１０７の実施の形態では一方のフレーム２Ｂの外端ブラケット１３を隣接する他の支柱１の中間フランジ７に結合して横方向に多数連設している。
【０１４８】
これに対して図１０８の実施の形態では、同じ枠体３Ｂを使用して縦横に組付ける点は同じであるが、一方の枠体におけるＶ字状フレーム２Ｂのブラケット１３を他方の隣接する支柱１側の上部ブラケット７に結合している。この場合には立方体状に支保工等の構造物を成形した時各フレーム２Ｂが斜め方向に同一線上に組付けけられていてブレスの機能を達成できる。
【０１４９】
図１０９は本発明に係る枠体を足場用フレームに組付けた実施の形態を示す。
【０１５０】
枠体は図６８に示すものが使用され、この枠体３Ｃを縦方向と横方向に組付けている。縦方向には各上下の支柱１，１同志を結合し、横方向に隣接する枠体３Ｃ，３Ｃ同志は一方のフレーム２Ｃの外端ブラケット１３と他方の支柱１の上部フランジ７とを結合するものである。この場合、例えば建築中の建物Ｙの外面が曲っているような場合には、この外面に沿って足場用フレームＺを組立るに当って一方のフレーム２Ｃにおけるブラケット１３のフランジ７に対する取付け角度を変えることによって連続して成形された足場用フレームＺには足場板１２５が連設される。
【０１５１】
図１１０は同じく図６８の枠体３Ｃを利用して枠組足場を組立てた位置例を示す。
【０１５２】
縦方向に連設した支柱１を二列縦方向に起立させて二組の枠組フレーム１２６を構成し、左右の隣接する枠組フレーム１２６間にはπ状の連結フレーム１２７を介在させ、連結フレーム１２７の水平材１２７ａを中間のフランジ７にブラケット１３を介して結合し、二本の縦材１２７ｂを下方のフランジ７に同じく結合する。連結フレーム１２７上には足場板が配設されてもよく、又は横材たるフレーム２Ｃ上に足場板を置いてもよい。
【０１５３】
図１１１は足場又は支保工として組付けられた構造物を示す。この場合は例えば図７３の枠体３Ｃが利用されている。即ち、地上にジャッキＪを多数起立し、このジャッキＪは連結部材Ｊ１で相互に結合されて補強され、ジャッキＪ上に標準的な枠組フレームＮが連結され、この枠組フレームＮ上に本発明の枠体３Ｃが縦横に複数重ねて結合され、更にこの枠体３Ｃ上に複数の枠組フレームＮが階段状又は水平に結合されている。枠組フレームＮ上には他のジャッキＪ２が高さ調整自在に設けられている。このジャッキＪ２は受部１３０と、受部１３０の下部に結合したねじ桿１３１と、ねじ桿１３１の中間に移動自在に螺合したフランジ１３３と、ねじ桿１３１の下部に螺合したナットとハンドル１３２とからなり、ねじ桿１３１が支柱にナットとハンドル１３２を介してねじ結合している。階段状に枠組フレームＮを組付けたのは被建築物Ｓの外面が画傾斜しているからである。上端の枠組フレームＮは伸縮自在な架設材、例えば図３７に示すような支柱からなる支持桿Ｍが使用され、この支持桿Ｍが上記ジャッキＪ２のフランジ１３３に相互に結合されている。
【０１５４】
図１１２は本発明の枠体の他の連結構造を示すものである。
【０１５５】
これはは図５２に示す枠体を横方向に複数連結し、更に図９７に示す連結部材１２０を使用して反対方向にも同じ枠体を連設するるものである。
【０１５６】
【発明の効果】
本発明によれば、次の効果がある。
【０１５７】
（１）各請求項に係る枠体の発明によれば、支柱と、支柱に設けた第１，第２の連結受具と、横材と、横材に設けた連結具とを備えているから、これらの各部材を介してこの枠体は一度に縦方向，横方向に組付けでき、あるいは他の構造物にに簡単に取付けでき、いろいろなパターンの構造物を簡単に組立できる。従って構造物に応じた枠体を多数用意する必要がなく、汎用性，組付性にすぐれている。
【０１５８】
（２）同じく、支柱には横材とその外端の連結具が設けられているから支柱の連結部材をわざわざ用意する必要がない。又、一度支柱同志を組付けた後でも連結具をはずすことにより任意の支柱の取りはずし、交換が可能である。又、横材を支柱自体又は第１，第２の連結受具に選択的に結合しておくことにより、その取り付け位置に応じて枠体同志を同一高さ、又は段違いの高さに結合できる。
【０１５９】
（３）同じく、支柱には中間に第１の連結受具を設けているから、この連結受具に支柱や補強フレームを接続できることにより支柱の座屈を防止できる。更に支柱の上下又は中間に第１，第２の連結受具を設置しているから、選択した第１又は第２の連結受具に応じた高さに足場を設置でき、特に中間の第１の連結受具を介して足場板を設けた場合手摺より下方に足場板を配置できる。
【０１６０】
（４）同じく、支柱には横材が設けられているから、枠体によって枠組足場，支保工，支保梁を組立てた場合、この横材が連結部材と補強用ブレスを兼ねており、わざわざブレスを架設しなくてもよい。
【０１６１】
請求項３に係る枠組足場によれば、支柱と手摺とブレスに対応できる部材が一体化されている為、足場の組立て、解体が容易である。
【０１６２】
（６）同じく、横方向に配設した支柱間には横材が介在しているから、従来のブレスに比べて大きな隙間が発生せず、必ず所定の高さに手摺として横材を組付けできるから安全性においてすぐれている。
【０１６３】
（７）同じく、支柱には必ず手摺用の横材が設けられているから、支柱の起立と同時に手摺を配設でき、支柱と手摺の組付性が向上する。
【図面の簡単な説明】
【図１】本発明の一実施の形態に係る枠体を利用した枠組足場の一部切欠き斜視図である。
【図２】図１の分解斜視図である。
【図３】本発明の一実施の形態に係る枠体の配列状態を示す略示斜視図である。
【図４】他の実施例に係る枠体の配列状態を示す略示斜視図である。
【図５】ジャッキとサポート支柱の配列状態を示す略示斜視図である。
【図６】他の実施の形態に係る枠組フレームの分解略示斜視図である。
【図７】図６の枠組フレームを組立て状態の斜視図である。
【図８】他の実施の形態に係る枠組フレームの斜視図である。
【図９】図８の枠組フレームを利用して組立てる組立順序を示す斜視図である。
【図１０】図８の枠組フレームを組立てた状態の斜視図である。
【図１１】図１０の枠組フレームを折り畳んだ状態の斜視図である。
【図１２】他の実施の形態に係る支柱と横材の斜視図である。
【図１３】図１２の一部拡大斜視図である。
【図１４】他の実施例に係る支柱と横材たる手摺の斜視図である。
【図１５】他の実施例に係る支柱と手摺の斜視図である。
【図１６】他の実施例に係る支柱と手摺の斜視図である。
【図１７】他の実施例に係る支柱と手摺の斜視図である。
【図１８】他の実施例に係る支柱と手摺の斜視図である。
【図１９】他の実施例に係る支柱と手摺の斜視図である。
【図２０】他の実施例に係る支柱と手摺の斜視図である。
【図２１】他の実施例に係る支柱と手摺の斜視図である。
【図２２】実施と巾木の分解斜視図である。
【図２３】他の実施の形態に係る支柱と手摺の斜視図である。
【図２４】他の実施の形態に係る支柱と手摺の斜視図である。
【図２５】他の実施の形態に係る支柱と手摺の斜視図である。
【図２６】他の実施の形態に係る支柱と手摺の斜視図である。
【図２７】他の実施の形態に係る支柱と手摺の斜視図である。
【図２８】他の実施の形態に係る支柱と手摺の斜視図である。
【図２９】他の実施の形態に係る支柱と手摺の斜視図である。
【図３０】他の実施の形態に係る支柱と手摺の斜視図である。
【図３１】他の実施の形態に係る支柱と手摺の斜視図である。
【図３２】他の実施の形態に係る支柱と手摺の斜視図である。
【図３３】他の実施の形態に係る支柱と手摺の斜視図である。
【図３４】他の実施の形態に係る横材の斜視図である。
【図３５】他の実施の形態に係る横材の斜視図である。
【図３６】他の実施の形態に係る横材の斜視図である。
【図３７】他の実施の形態に係る横材の斜視図である。
【図３８】他の実施の形態に係る横材の斜視図である。
【図３９】他の実施の形態に係る横材の斜視図である。
【図４０】他の実施の形態に係る横材の斜視図である。
【図４１】他の実施の形態に係る足場板と支柱の一部切欠き斜視図である。
【図４２】他の実施の形態に係る巾木と支柱の一部切欠き斜視図である。
【図４３】他の実施の形態に係る巾木の斜視図である。
【図４４】他の実施の形態に係る支柱の連結状態を示す一部切欠き斜視図である。
【図４５】他の実施の形態に係る支柱の連結状態を示す一部切欠き斜視図である。
【図４６】他の実施の形態に係る支柱の連結状態を示す一部切欠き斜視図である。
【図４７】他の実施の形態に係る支柱と手摺の連結状態を示す分解斜視図である。
【図４８】本発明の一実施の形態に係る枠体の正面図である。
【図４９】本発明の他の実施の形態に係る枠体の正面図である。
【図５０】本発明の他の実施の形態に係る枠体の正面図である。
【図５１】本発明の他の実施の形態に係る枠体の正面図である。
【図５２】本発明の他の実施の形態に係る枠体の正面図である。
【図５３】他の実施の形態に係る連結具の平面図である。
【図５４】他の実施の形態に係る枠体の正面図である。
【図５５】（Ａ）（Ｂ）は他の実施の形態に係る各枠体の正面図である。
【図５６】他の実施の形態に係る枠体の正面図である。
【図５７】他の実施の形態に係る枠体の正面図である。
【図５８】他の実施の形態に係る枠体の正面図である。
【図５９】他の実施の形態に係る枠体の正面図である。
【図６０】他の実施の形態に係る枠体の正面図である。
【図６１】他の実施の形態に係る枠体の正面図である。
【図６２】他の実施の形態に係る枠体の正面図である。
【図６３】他の実施の形態に係る枠体の正面図である。
【図６４】他の実施の形態に係る枠体の正面図である。
【図６５】他の実施の形態に係る枠体の平面図である。
【図６６】図６５の正面図である。
【図６７】図６５の右側面図である。
【図６８】他の実施の形態に係る枠体の正面図である。
【図６９】他の実施の形態に係る枠体の正面図である。
【図７０】他の実施の形態に係る枠体の平面図である。
【図７１】図７０の正面図である。
【図７２】図７０の右側面図である。
【図７３】他の実施の形態に係る枠体の正面図である。
【図７４】他の実施の形態に係る枠体の正面図である。
【図７５】他の実施の形態に係る枠体の正面図である。
【図７６】他の実施の形態に係る枠体の正面図である。
【図７７】他の実施の形態に係る枠体の正面図である。
【図７８】他の実施の形態に係る枠体の正面図である。
【図７９】他の実施の形態に係る枠体の正面図である。
【図８０】他の実施の形態に係る枠体の正面図である。
【図８１】他の実施の形態に係る枠体の正面図である。
【図８２】他の実施の形態に係る枠体の正面図である。
【図８３】他の実施の形態に係る枠体の正面図である。
【図８４】他の実施の形態に係る枠体の正面図である。
【図８５】図８４の一部拡大正面図である
【図８６】他の実施の形態に係る枠体の正面図である。
【図８７】他の実施の形態に係る枠体の正面図である。
【図８８】他の実施の形態に係る枠体の正面図である。
【図８９】他の実施の形態に係る枠体の正面図である。
【図９０】（Ａ）フランジの平面図である。（Ｂ）フランジの断面図である。
【図９１】（Ａ）他のフランジの平面図である。（Ｂ）同フランジの断面図である。
【図９２】（Ａ）（Ｂ）他のフランジの平面図と断面図である。
【図９３】（Ａ）（Ｂ）他のフランジの平面図と断面図である。
【図９４】フランジと水平支柱の結合部拡大平面図である。
【図９５】他のフランジと水平支柱の結合部の拡大平面図である。
【図９６】他のフランジの正面図である。
【図９７】連結部材の拡大正面図である。
【図９８】補助部材の平面図である。
【図９９】支柱の上部拡大正面図である。
【図１００】一本の支柱からなる補助部材の正面図である。
【図１０１】他の補助部材の平面図である。
【図１０２】他の補助部材の平面図である。
【図１０３】枠体を五角状に組付けた平面図である。
【図１０４】枠体を六角状に組付けた平面図である。
【図１０５】支保梁の正面図である。
【図１０６】（Ａ）（Ｂ）は枠体を縦方向に組付けた状態の正面図と側面図である。
【図１０７】（Ａ）（Ｂ）支保工の平面図と正面図である。
【図１０８】（Ａ）（Ｂ）他の実施の形態に係る支保工の平面図と正面図である。
【図１０９】（Ａ）（Ｂ）枠組あしはぎの平面図と正面図である。
【図１１０】他の実施の形態に係る枠組足場の分解正面図である。
【図１１１】他の実施の形態に係る支保工の正面図である。
【図１１２】他の枠体の組立状態を示す正面図である。
【符号の説明】
１  支柱
２  横材たる手摺
２ａ  横材たる水平支柱
２Ａ  横材たるフレーム
２Ｂ  横材たるフレーム
２Ｃ  横材たるフレーム
３  枠組フレーム
４  横材たる横架材
５，５ａ  足場板
７  第１，第２の連結受具たるフランジ
１３  連結具たるブラケット
２９  手摺
【図１】
0004268701.tif 000002
【図２】
0004268701.tif 000003
【図３】
0004268701.tif 000004
【図４】
0004268701.tif 000005
【図５】
0004268701.tif 000006
【図６】
0004268701.tif 000007
【図７】
0004268701.tif 000008
【図８】
0004268701.tif 000009
【図９】
0004268701.tif 000010
【図１０】
0004268701.tif 000011
【図１１】
0004268701.tif 000012
【図１２】
0004268701.tif 000013
【図１３】
0004268701.tif 000014
【図１４】
0004268701.tif 000015
【図１５】
0004268701.tif 000016
【図１６】
0004268701.tif 000017
【図１７】
0004268701.tif 000018
【図１８】
0004268701.tif 000019
【図１９】
0004268701.tif 000020
【図２０】
0004268701.tif 000021
【図２１】
0004268701.tif 000022
【図２２】
0004268701.tif 000023
【図２３】
0004268701.tif 000024
【図２４】
0004268701.tif 000025
【図２５】
0004268701.tif 000026
【図２６】
0004268701.tif 000027
【図２７】
0004268701.tif 000028
【図２８】
0004268701.tif 000029
【図２９】
0004268701.tif 000030
【図３０】
0004268701.tif 000031
【図３１】
0004268701.tif 000032
【図３２】
0004268701.tif 000033
【図３３】
0004268701.tif 000034
【図３４】
0004268701.tif 000035
【図３５】
0004268701.tif 000036
【図３６】
0004268701.tif 000037
【図３７】
0004268701.tif 000038
【図３８】
0004268701.tif 000039
【図３９】
0004268701.tif 000040
【図４０】
0004268701.tif 000041
【図４１】
0004268701.tif 000042
【図４２】
0004268701.tif 000043
【図４３】
0004268701.tif 000044
【図４４】
0004268701.tif 000045
【図４５】
0004268701.tif 000046
【図４６】
0004268701.tif 000047
【図４７】
0004268701.tif 000048
【図４８】
0004268701.tif 000049
【図４９】
0004268701.tif 000050
【図５０】
0004268701.tif 000051
【図５１】
0004268701.tif 000052
【図５２】
0004268701.tif 000053
【図５３】
0004268701.tif 000054
【図５４】
0004268701.tif 000055
【図５５】
0004268701.tif 000056
【図５６】
0004268701.tif 000057
【図５７】
0004268701.tif 000058
【図５８】
0004268701.tif 000059
【図５９】
0004268701.tif 000060
【図６０】
0004268701.tif 000061
【図６１】
0004268701.tif 000062
【図６２】
0004268701.tif 000063
【図６３】
0004268701.tif 000064
【図６４】
0004268701.tif 000065
【図６５】
0004268701.tif 000066
【図６６】
0004268701.tif 000067
【図６７】
0004268701.tif 000068
【図６８】
0004268701.tif 000069
【図６９】
0004268701.tif 000070
【図７０】
0004268701.tif 000071
【図７１】
0004268701.tif 000072
【図７２】
0004268701.tif 000073
【図７３】
0004268701.tif 000074
【図７４】
0004268701.tif 000075
【図７５】
0004268701.tif 000076
【図７６】
0004268701.tif 000077
【図７７】
0004268701.tif 000078
【図７８】
0004268701.tif 000079
【図７９】
0004268701.tif 000080
【図８０】
0004268701.tif 000081
【図８１】
0004268701.tif 000082
【図８２】
0004268701.tif 000083
【図８３】
0004268701.tif 000084
【図８４】
0004268701.tif 000085
【図８５】
0004268701.tif 000086
【図８６】
0004268701.tif 000087
【図８７】
0004268701.tif 000088
【図８８】
0004268701.tif 000089
【図８９】
0004268701.tif 000090
【図９０】
0004268701.tif 000091
【図９１】
0004268701.tif 000092
【図９２】
0004268701.tif 000093
【図９３】
0004268701.tif 000094
【図９４】
0004268701.tif 000095
【図９５】
0004268701.tif 000096
【図９６】
0004268701.tif 000097
【図９７】
0004268701.tif 000098
【図９８】
0004268701.tif 000099
【図９９】
0004268701.tif 000100
【図１００】
0004268701.tif 000101
【図１０１】
0004268701.tif 000102
【図１０２】
0004268701.tif 000103
【図１０３】
0004268701.tif 000104
【図１０４】
0004268701.tif 000105
【図１０５】
0004268701.tif 000106
【図１０６】
0004268701.tif 000107
【図１０７】
0004268701.tif 000108
【図１０８】
0004268701.tif 000109
【図１０９】
0004268701.tif 000110
【図１１０】
0004268701.tif 000111
【図１１１】
0004268701.tif 000112
【図１１２】
0004268701.tif 000113